(57)【要約】【課題】キーフォッブを車両の内部に確実に取り付ける方法を提供する。【解決手段】  車両のスマート通信方法である。該方法は、キーフォッブを車両のキーフォッブ・スロット内に収容するステップと、スマート機能をオンとオフとに切り替える主スイッチがオン位置にあるか否かを判定するステップ及び／又は車両電源がオンであるか否かを判定するステップと、主スイッチがオン位置にあると判定されていない場合及び車両電源がオンであると判定された場合の少なくとも一方の場合、キーフォッブをキーフォッブ・スロット内でロックするステップと、を含んでいる。【選択図】図１
2010216234.tif 000002
【特許請求の範囲】
【請求項１】
車両のスマート通信方法であって、
キーフォッブを前記車両のキーフォッブ・スロット内に収容するステップと、
スマート機能をオンとオフとに切り替える主スイッチがオン位置にあるか否かを判定するステップ及び／又は車両電源がオンであるか否かを判定するステップと、
前記主スイッチがオン位置にあると判定されていない場合及び前記車両電源がオンであると判定された場合の少なくとも一方の場合、前記キーフォッブを前記キーフォッブ・スロット内でロックするステップと、
を含むスマート通信方法。
【請求項２】
前記キーフォッブを前記キーフォッブ・スロット内でロックするステップは、前記車両電源がオンであるときにのみ行われる請求項１に記載のスマート通信方法。
【請求項３】
前記キーフォッブを前記キーフォッブ・スロット内でロックするステップは、前記主スイッチが前記オン位置にあると判定されていないときにのみ行われる請求項１または２に記載のスマート通信方法。
【請求項４】
前記スマート通信方法は、更に、前記キーフォッブが前記キーフォッブ・スロット内でロックされている状態で前記キーフォッブ・スロットから前記キーフォッブを取り外す試みを検出するステップを含む請求項１乃至３いずれか１項に記載のスマート通信方法。
【請求項５】
前記スマート通信方法は、更に、前記キーフォッブ・スロットから前記キーフォッブを取り外す試みが検出されたとき、前記キーフォッブへの損傷を防止するために警告を発するステップを含む請求項４に記載のスマート通信方法。
【請求項６】
前記スマート通信方法は、更に、
前記車両のエンジンの始動に対応する作動信号を受信するステップと、
前記主スイッチが前記オン位置にあると判定されたとき、前記車両の前記キーフォッブが前記車両のサーチフィールド内にあることを確認するステップと、
前記主スイッチが前記オン位置にあると判定されたときに前記キーフォッブが前記サーチフィールド内にあると確認された場合、及び、前記主スイッチが前記オン位置にあると判定されていないときに前記キーフォッブが前記キーフォッブ内にあると判定された場合のうちの一方の場合に前記エンジンを始動するステップと、
を含む請求項１乃至５いずれか１項に記載のスマート通信方法。
【請求項７】
前記スマート通信方法は、更に、前記主スイッチが前記エンジンの始動前に前記オン位置にあると判定されていないとき、前記キーフォッブを前記キーフォッブ・スロット内でロックするステップを含む請求項６に記載のスマート通信方法。
【請求項８】
前記スマート通信方法は、更に、
特定の車両機能に対応する作動信号を受信するステップと、
前記主スイッチが前記オン位置にあると判定されたとき、前記車両の前記キーフォッブが前記車両のサーチフィールド内にあることを確認するステップと、
前記キーフォッブが前記サーチフィールド内にあると確認されたとき、前記特定の車両機能を作動させるステップと、
さもなければ前記特定の車両機能の手動式作動を要求するステップと、
を含み、
前記作動信号は、前記作動信号に対応する作動動作が行われていることを示している請求項１乃至６いずれか１項に記載のスマート通信方法。
【請求項９】
前記さもなければ前記特定の車両機能の手動式作動を要求するステップは、前記主スイッチが前記オン位置にあると判定されていない場合及び前記キーフォッブが前記サーチフィールド内にあると確認されていない場合の少なくとも一方の場合に行われる請求項８に記載のスマート通信方法。
【請求項１０】
前記特定の車両機能は、前記車両のドアをロック解除することであり、
前記手動式作動は、前記ドアをロック解除するためにボタン式のアクチュエータを押すこと、及び、機械的なキーをキースロット内に収容させた後で前記機械的なキーを前記ロック解除する方向に回転させることのうちの少なくとも一方である請求項８または９に記載のスマート通信方法。
【請求項１１】
前記特定の車両機能は、前記車両のエンジンの始動であり、
前記手動式作動は、前記作動信号を受信する前に前記キーフォッブを前記キーフォッブ・スロット内に収容させることである請求項８乃至１０いずれか１項に記載のスマート通信方法。
【請求項１２】
車両のためのスマート通信システムであって、
エンジン始動信号を発生するエンジン始動アクチュエータと、
前記エンジン始動アクチュエータから前記エンジン始動信号を受信する車両搭載型の制御ユニットと、
前記制御ユニットに接続されており前記車両のスマート機能を切り替える主スイッチと、
前記制御ユニットに接続されており要求信号を携帯機器へ送信する車載送信機と、
前記制御ユニットに接続されており前記要求信号に応じた確認信号を前記携帯機器から受信する車載受信機と、
前記車両に設けられておりキーフォッブを収容するキーフォッブ・スロットと、
を備えており、
前記車載送信機は、前記エンジン始動信号が前記制御ユニットによって受信されるとともに前記主スイッチがオン位置にあるとき、サーチフィールド内に前記要求信号を送信し、
前記キーフォッブ・スロットは前記制御ユニットに接続されており、
前記制御ユニットは、前記車載受信機が前記要求信号に応じた前記確認信号を受信するとともに前記主スイッチが前記オン位置にある場合、及び、前記キーフォッブが前記キーフォッブ・スロット内にあると判定されるとともに前記主スイッチがオフ位置にある場合の少なくとも一方の場合に、前記エンジンを始動するように構成されているスマート通信システム。
【請求項１３】
前記スマート通信システムは、更に、前記制御ユニットに接続されており前記キーフォッブを前記キーフォッブ・スロット内でロックするロッキング機構部を備えており、
前記制御ユニットは、前記キーフォッブが前記キーフォッブ・スロット内にあるとともに前記エンジン始動信号が受信されたとき、前記キーフォッブを前記キーフォッブ・スロット内でロックするために前記ロッキング機構部を作動させるように構成されており、
前記主スイッチが前記オン位置にあるとき、前記キーフォッブは、前記ロッキング機構部によって前記キーフォッブ・スロット内でロックされることがない請求項１２に記載のスマート通信システム。
【請求項１４】
前記主スイッチが前記オン位置にあるとき、前記キーフォッブは前記ロッキング機構部によって前記キーフォッブ・スロット内でロックされることがない請求項１２または１３に記載のスマート通信システム。
【発明の詳細な説明】
【技術分野】
【０００１】
本発明は車両用のスマート通信システムを制御するシステムおよび方法に関する。
【背景技術】
【０００２】
いくつかの従来の車両スマート通信システム（たとえば、スマート・エントリー・システム）は、サーチフィールドがサーチフィールド内でキーフォッブ（key fob）を識別すると、車両へのユーザ・エントリーを提供するキーフォッブを利用する。サーチフィールドは、外側ドアハンドルの把持、スタートボタンの押下、ドアの閉鎖などのようなユーザ入力に応じて伝送される。このようにして、ユーザは、キーフォッブをサーチフィールド内で持っているだけで直ちに自分の車両に乗車すること、または、車両に関連した機能を起動することが可能である。車両の内部に入ると、車両に電源を供給するために、および／または、エンジンを始動するために、ユーザによってさらなるステップが行われ得る。一例では、エンジンは、イグニッション制御が作動されると始動される。この制御により、キーフォッブから放出されたローリングコードが確認されると、イグニッション起動を許可することができる。
【発明の概要】
【発明が解決しようとする課題】
【０００３】
本発明は、キーフォッブを車両の内部に確実に取り付ける方法を提供することにある。
【課題を解決するための手段】
【０００４】
本態様による方法では、主スイッチは、車両と関連付けられたスマート通信システムを起動するためオン位置に切り替えられる。低周波サーチフィールドがキーフォッブがサーチフィールド内にあることを確認するために車両から送信され、信号がキーフォッブを介して車両へ送信される。キーフォッブがキーフォッブ・スロットに挿入され、車両電源が入れられる。ロッキング機構部はその後にキーフォッブをキーフォッブ・スロット内に確実に取り付けるため係止され得る。
【０００５】
本発明の別の態様では、キーフォッブを車両の内部に確実に取り付ける方法が使用される。本態様による方法では、主スイッチは、車両と関連付けられたスマート通信システムを停止させるためにオフ位置に切り替えられる。キーフォッブがキーフォッブ・スロットに挿入され、車両電源が入れられる。ロッキング機構部がキーフォッブをキーフォッブ・スロット内に確実に取り付けるため係止される。
【０００６】
本発明の更なる別の態様では、スマート通信システムを車両の内部で利用する方法が用いられる。本態様による方法では、主スイッチは、車両と関連付けられたスマート通信システムのスマート機能を起動するためオン位置に切り替えられる。低周波サーチフィールドがキーフォッブがサーチフィールド内にあることを確認するために車両から送信され、信号がキーフォッブを介して車両へ送信される。キーフォッブはキーフォッブ・スロットに挿入されてもよく、車両電源が入れられる。キーフォッブ・スロット内のロッキング機構部がロックされていない状態で維持される。
【０００７】
本発明の更なる別の態様では、スマート機能をオンとオフとに切り替える主スイッチを有する車両のためのスマート通信方法が提供される。本態様による方法では、特定の車両機能に対応する作動信号が受信される。作動信号は、対応する作動動作が行われていることを示す。主スイッチがオン位置にあるかが判定される。車両のキーフォッブは、主スイッチがオン位置にあると判定されたとき、車両のサーチフィールド内にあることが確認される。特定の車両機能は、キーフォッブがサーチフィールド内にあると確認されたときに作動される。そうでなければ、特定の車両機能の手動式作動が要求される。そうでなければ、特定の車両機能の手動式作動の要求は、主スイッチがオン位置にないと判定されたとき、または、キーフォッブがサーチフィールド内にないと確認されたときの少なくとも一方の場合に行われ得る。特定の車両機能は、車両のドアのロック解除であってもよく、この場合、手動式作動は、ドアのロックを解除するためにボタンアクチュエータを押下すること、または、キースロット内にメカニカルキーを受承し、引き続き、メカニカルキーの回転のロックを解除すること、のうちの少なくとも一方であり得る。特定の車両機能は車両のエンジンの始動でもよく、手動式作動は作動信号の受信前にキーフォッブをキーフォッブ・スロット内に受承することでもよい。この方法は、主スイッチがオン位置にないと判定されたとき、キーフォッブがキーフォッブ・スロット内でロックされることをさらに含む。車両のキーフォッブがサーチフィールド内にあることを確認することは、低周波要求信号をサーチフィールド内へ送信し、キーフォッブからキーフォッブがサーチフィールド内にあることを確認する確認信号を受信することを含み得る。
【０００８】
本発明の更なる態様では、スマート機能をオンとオフとに切り替える主スイッチを有する車両のためのスマート通信方法が提供される。本態様による方法では、キーフォッブが車両のキーフォッブ・スロットに受承される。主スイッチがオン位置にあるかが判定される。キーフォッブは、主スイッチがオン位置にないと判定されたとき、キーフォッブ・スロット内でロックされ、そうでなければ、キーフォッブはキーフォッブ・スロット内でロックされない。キーフォッブ・スロット内でのキーフォッブのロックは、車両電源がオンであるときにのみ行われ得る。車両電源は、イグニッション状態がアクセサリ状態または走行状態のいずれか一方であるときにオンになり得る。この方法は、車両電源がオフであるとき、キーフォッブ・スロットからキーフォッブのロックを解除するステップをさらに含む。この方法は、キーフォッブがキーフォッブ・スロット内でロックされている間に、キーフォッブに印加される取り外す力の検出、または、キーフォッブとキーフォッブ・スロットとの間の相対的な移動の検出のうちの少なくとも一方によって、キーフォッブ・スロットからのキーフォッブの取り外しの試みを検出するステップをさらに含む。この方法は、キーフォッブへの損傷を回避するために、取り外しの試みが検出されたときに警告を発するステップをさらに含み得る。
【０００９】
本発明の更なる別の態様では、キーフォッブを受承するキーフォッブ・スロットを有する車両のためのスマート通信方法が提供される。本態様による方法では、キーフォッブはキーフォッブ・スロットに受承される。キーフォッブはキーフォッブ・スロット内でロックされている間にキーフォッブ・スロットからキーフォッブを取り外す試みが検出される。キーフォッブは、スマート機能をオンとオフとに切り替える主スイッチがオフ位置にあるときにのみキーフォッブ・スロット内でロックされ得る。キーフォッブは、主スイッチがオフ位置にあり、車両電源がオンであるときにのみキーフォッブ・スロット内でロックされ得る。取り外しの試みを検出するステップは、キーフォッブがキーフォッブ・スロット内でロックされている間にキーフォッブに印加される取り外す力を検出するステップを含み得る。取り外す力を検出するステップは、取り外す力がキーフォッブに印加されたときを判定するために歪みゲージを使用するステップを含み得る。取り外しの試みを検出するステップは、スイッチによってキーフォッブ・スロットからのキーフォッブの部分的な取り外しを検出するステップを含み得る。この方法は、取り外しの試みが検出されたとき、さらなる取り外しがキーフォッブに損傷を与えるかもしれないことを示すために警告を発するステップをさらに含み得る。警告は車両内での聴覚警告または視覚警告のうちの少なくとも一方であり得る。
【００１０】
本発明の別の態様では、キーフォッブを受承するキーフォッブ・スロットを有する車両のためのスマート通信方法が提供される。本態様による方法では、キーフォッブはキーフォッブ・スロットに受承される。車両電源がオンであるかが判定される。キーフォッブは、車両電源がオンであると判定されたとき、キーフォッブ・スロット内でロックされ、さもなければ、キーフォッブはキーフォッブ・スロット内でロックされない。車両電源は、車両のイグニッション状態がアクセサリ状態または走行状態のうちの少なくとも一方であるときオンであることが判定され得る。この方法は、キーフォッブがキーフォッブ・スロット内でロックされた後に車両電源が切られているかを判定し、車両電源が切られていることが判定されたとき、キーフォッブ・スロットからキーフォッブのロックを解除するステップをさらに含み得る。
【００１１】
本発明の更なる別の態様では、車両のためのスマート通信方法が提供される。本態様による方法では、車両のエンジンの始動に対応する作動信号が受信される。車両のスマート機能を切り替える主スイッチがオン位置にあるかが判定される。主スイッチがオン位置にあると判定されたとき、車両のキーフォッブは車両のサーチフィールド内にあることが確認される。主スイッチがオン位置でないと判定されたとき、キーフォッブが車両のキーフォッブ・スロット内にあるかが判定される。主スイッチがオン位置にあると判定されたときにキーフォッブがサーチフィールド内にあると確認されたとき、または、主スイッチがオン位置でないと判定されたときにキーフォッブがキーフォッブ・スロット内にあると判定されたときのうちのいずれか一方の場合、エンジンが始動される。この方法は、主スイッチがエンジンを始動する前にオン位置でないと判定されたとき、キーフォッブをキーフォッブ・スロット内でロックするステップを含み得る。主スイッチが上記オン位置でないと判定されたとき、キーフォッブはキーフォッブ・スロット内でロックされない。
【００１２】
本発明の更なる別の態様では、車両のためのスマート通信システムが提供される。より詳細には、本態様によれば、スマート通信システムは、エンジン始動信号を発生するエンジン始動アクチュエータと、エンジン始動アクチュエータからエンジン始動信号を受信する車両搭載型制御ユニットとを含む。主スイッチは制御ユニットに接続され、車両のスマート機能を切り替える。車載送信機は制御ユニットに接続され、要求信号を携帯機器へ送信する。車載送信機は、エンジン始動信号が制御ユニットによって受信され、主スイッチがオン位置にあるとき、サーチフィールド内に要求信号を送信する。車載受信機は制御ユニットに接続され、携帯ユニットから要求信号に応じた確認信号を受信する。キーフォッブを受承するキーフォッブ・スロットが車両に設けられ、制御ユニットに接続される。制御ユニットは、車載受信機が要求信号に応じた確認信号を受信し、主スイッチがオン位置にあるとき、または、キーフォッブがキーフォッブ・スロット内にあると判定され、主スイッチがオフ位置にあるときのうちの少なくとも一方の場合、エンジンを始動するように構成されている。この方法は、制御ユニットに接続され、キーフォッブをキーフォッブ・スロット内でロックするロッキング機構部をさらに含み、制御ユニットは、キーフォッブがキーフォッブ・スロット内にあり、エンジン始動信号が受信されたとき、キーフォッブをキーフォッブ・スロット内でロックするためにロッキング機構部を作動させるように構成され得る。キーフォッブは、主スイッチがオン位置にあるとき、ロッキング機構部によってキーフォッブ・スロット内でロックされない。
【図面の簡単な説明】
【００１３】
【図１】車両用のスマート通信システムの例示的な実施形態を示す概略図である。
【図２】サーチフィールド内でＬＦ信号を送信する図１のスマート通信システムの車載送信機の概略図である。
【図３】スマート通信方法の例示的な実施形態の図である。
【図４】主スイッチがオン位置にあるかを判定するスマート通信方法の例示的な実施形態の図である。
【図５】車両電源の状態に依存してキーフォッブをキーフォッブ・スロット内で選択的にロックする方法の例示的な実施形態の図である。
【図６】キーフォッブ・スロット・ロッキング機構部に関連したスマート通信システムを利用する方法の例示的な実施形態の図である。
【図７】キーフォッブ・スロット・ロッキング機構部に関連したスマート通信システムを利用する方法の例示的な実施形態の図である。
【図８】主スイッチの位置に依存してキーフォッブをキーフォッブ・スロット内で選択的にロックする方法の例示的な実施形態の図である。
【図９】キーフォッブ・スロット内でロックされている間にキーフォッブの取り外しが試みられたことを検出し、取り外しの試みが検出されたときに警告を発する方法の例示的な実施形態の図である。
【図１０】車両のエンジンを始動するスマート通信方法の例示的な実施形態の図である。
【発明を実施するための形態】
【００１４】
１つまたは複数の例示的な実施形態を示す目的のため示された図面を参照する。図１は車両１２のためのスマート通信システム１０を概略的に示す。図示されるように、システム１０は車載送信機１８および車載受信機２０を含み得る。より詳細に後述されるように、車載受信機２０は、携帯機器２６（またはその他の供給元）から作動信号または起動信号２４を受信するものであり、車載送信機１８は携帯機器２６からの適切な識別情報を要求するために要求信号または検証信号２２を携帯機器２６へ送信するものである。また、車載受信機２０は、携帯機器２６から検証信号２２に応じた確認信号２５を受信する。
【００１５】
システム１０は、送信機１８および受信機２０に動作可能に接続されたコントローラまたは制御ユニット３６をさらに含み得る。作動信号２４は、制御ユニット３６を介して、システム１０が、携帯機器２６が車両１２から所定の距離の範囲内にあることを検証するハンドシェイク通信を開始することができる。検証された場合、制御ユニット３６は、携帯機器２６から受信された作動信号２４に基づいて動作を開始するためにコマンド信号９０ａを実行コンポーネント９０へ送信可能である。実行コンポーネント９０は、特定の車両機能を実行するために制御ユニット３６から受信されたコマンドを実行するモータ、パワーロックなどであり得る。
【００１６】
より詳細には、さらに図２を参照すると、携帯機器２６から作動信号２４が受信されると（または、何らかのその他の作動信号が受信されると）、車載送信機１８は、サーチフィールド２８内に（たとえば、低周波で）検証信号２２を送信することができる。一例では、作動信号２４（または何らかのその他の作動信号）は、ドアに触れる、ドアハンドルを引く、ドアを開ける、ドアのロックを解除する、エンジン始動ボタンを押す、または、車両のドアを閉めるといった対応する作動動作によって開始される。作動信号２４（または何らかのその他の作動信号）および対応する作動動作は、車両ドアのロック解除／ロック、車両ウィンドウまたは電動ドアの開閉、車両のエンジンの始動などのような特定の車両機能に対応し得る。
【００１７】
車載送信機１８は、検証信号２２を送信するアンテナ３２を含み得る。検証信号２２（およびサーチフィールド２８）は、アンテナ３２から全方向に放射可能であることが理解されるべきである。なお、ある方向が他の方向より強いことはある（そしてこれは図示されていない）。同様に、車載受信機２０は、携帯機器２６から作動信号２４および確認信号２５を受信するアンテナ３４を含み得る。また、所望の半径または面積のサーチフィールド２８内でのみ通信を可能にするために、電力がアンテナ３２に適切に供給され得る。本開示のその他の実施形態は異なる数および電力のアンテナを採用してもよいことが理解されるべきである。
【００１８】
これに代えてまたはこれに加えて、制御ユニット３６は、車両１２の特定の機能を開始するために、特定の車両機能に対応する作動コンポーネント８８から入力（たとえば、作動信号８８ａ）を受信し得る。作動コンポーネント８８は、ドアのロック解除またはロック、ウィンドウの開閉、エンジン始動などのような特定の車両機能を開始する車両１２上にあるダイヤル、スイッチ、押しボタンなどであり得る。特に、作動信号８８ａは、対応する作動動作が行われていることを示すことができる。対応する作動動作は、作動コンポーネント８８の作動であり得る。たとえば、作動動作は、作動コンポーネント８８がボタンである場合、作動コンポーネント８８の押下であり得る。図示された実施形態は、１つの作動コンポーネントのみを示しているが、スマート通信システム１０には任意の数の作動コンポーネントを用いることができることが理解されるべきである。この構成によって（すなわち、携帯機器２６から作動信号２４を受信し、および／または、作動コンポーネント８８から作動信号８８ａを受信することにより）、コマンドが有線と無線の両方の通信プロトコルを介して車両１２によって受信され得る。
【００１９】
１つの例示的な実施形態では、作動コンポーネント８８は、エンジン始動信号として作動信号８８ａを発生するエンジン始動アクチュエータ（たとえば、押しボタン型エンジン始動アクチュエータ）である。本実施形態では、特定の車両機能は車両１２のエンジン１００の始動であり、信号８８ａは、エンジン始動アクチュエータ８８の作動（たとえば、エンジン始動アクチュエータの押下）が行われていることを示す。制御ユニット３６は、本実施形態では、エンジン始動アクチュエータ８８からエンジン始動信号８８ａを受信し、その後、携帯機器２６がサーチフィールド２８内にあることを確認するために検証信号２２を携帯機器２６へ送信することができる。携帯機器２６がサーチフィールド２８内にあるという確認は、検証信号２２を受信し、確認信号２５によって応答する携帯機器２６によって行われ得る。
【００２０】
キーフォッブ９６を受承するキーフォッブ・スロット９４が設けられ得る。ロッキング機構部９２がキーフォッブ・スロット９４と関連付けられ、キーフォッブ９６をキーフォッブ・スロット９４内で選択的にロックし得る。キーフォッブ・スロット９４およびロッキング機構部９２は、制御ユニット３６に連結され得る。キーフォッブ・スロット９４は、キーフォッブ９６がキーフォッブ・スロット９４へ挿入され易くなっている。例示目的で、キーフォッブ９６は携帯機器２６とは別個の構成要素として示されている。しかし、携帯機器２６とキーフォッブ９６とが同じ構成要素であってもよいことが理解されるべきである。したがって、携帯機器２６およびキーフォッブ９６に関連したコンポーネント（およびコンポーネントに関連付けられた機能）は交換可能である。
【００２１】
キーフォッブ９６がキーフォッブ・スロット９４内に入ると、ロッキング機構部９２はキーフォッブ９６の取り外しを防止するために、キーフォッブ９６を機械的に係止する。ロッキング機構部９２の起動は、スマート通信システム１０のスマート機能がアクティブ状態であるか、車両内の電源が入れられているか、アクセサリスイッチがオンであるかなどのような任意の数の要因に依存し得る。一例では、ロッキング機構部９２は、車両内で電源がオンであるときはいつでもキーフォッブ９６を係止する。別の例では、ロッキング機構部９２は、システム１０のスマート機能がアクティブ状態であるときはいつでもキーフォッブ９６を係止する。より詳細に後述されるように、システム１０のスマート機能は、制御ユニット３６に接続された、車両１２のスマート機能を切り替える主スイッチ９８を介してオンおよびオフにされ得る。主スイッチ９８は、ハードウェアまたはソフトウェアによって実施され得る。たとえば、主スイッチ９８は、物理的なスイッチであってもよく、または、ソフトウェアで実現され、何らかの車両通信システム（たとえば、ＣＡＮ、ＩＳＯ９１４１など）を介して通信されてもよいことが当業者によって理解されるべきである。さらに別の実施形態では、ロッキング機構部９２は、主スイッチ９８がオフ位置にあるときにのみキーフォッブ９６を係止する。ロッキング機構部９２によるキーフォッブ・スロット９４内でのキーフォッブ９６のロックおよびロック解除は、より詳細に後述されるように、制御ユニット３６によって制御され得る。
【００２２】
システム１０は、キーフォッブ９６がロッキング機構部９２によってキーフォッブ・スロット９４内でロックされている間にキーフォッブ・スロット９４からのキーフォッブ９６の取り外しの試みを検出する取り外し検出器１０２をさらに含むことがある。取り外し検出器１０２は、一実施形態では、キーフォッブ９６がキーフォッブ・スロット９４内でロックされている間に取り外す力がキーフォッブ９６に印加されたときを検出することができる。たとえば、取り外し検出器１０２は、取り外す力がキーフォッブ９６に印加されているときを判定する歪みゲージであるか、または、歪みゲージを含み得る。あるいは、取り外し検出器１０２は、キーフォッブ・スロット９４からのキーフォッブ９６の部分的な取り外しを検出するスイッチであるか、または、スイッチを含み得る。たとえば、キーフォッブ９６とキーフォッブ・スロット９４との間の相対的な移動は、スイッチとして構成された場合取り外し検出器１０２を始動させることができる。聴覚インジケータおよび／または視覚インジケータであり得るインジケータ１０４は、車両１２に設けられ、取り外し検出器１０２がキーフォッブ９６がロッキング機構部９２によってキーフォッブ・スロット９４内でロックされている間にキーフォッブ・スロット９４からのキーフォッブ９６の取り外しの試みを検出したことをドライバに警告し得る。
【００２３】
携帯機器２６は、作動信号２４および／または確認信号２５を車両１２へ、特に、車載受信機２０へ送信するアンテナ４６を有する携帯送信機４４を含み得る。また、携帯機器２６は、検証信号２２を受信するアンテナ４２を含み得る。さらに、携帯機器２６は、受信機４０と送信機４４との間で通信および動作を調整するコントローラまたは制御ユニット４８を含み得る。制御ユニット４８は、送信機４４から信号を送出するために第１のボタン８０および第２のボタン８２に連結され得る。場合によっては、主スイッチ９８ａが、車両１２上の主スイッチ９８の代わりに（または、スイッチ９８の他に）携帯機器２６に設けられ得る。一例では、主スイッチ９８ａは、車両１２上の主スイッチ９８に関連して説明されたように、システム１０のスマート機能を切り替える携帯機器２６上のボタンである。
【００２４】
これに代えてまたはこれに加えて、他の手段または方法が作動信号を開始するために使用され得る（たとえば、指定された方法で携帯機器２６を移動する）。図示された実施形態では、ボタン８０、８２は、各ボタンを１回以上押下することにより、ロックおよびロック解除のような特定の機能をそれぞれ起動し得る。ボタン８０、８２、９８ａの機能は、ボタン８０、８２、９８ａが押下される回数または組み合わせに基づいて変えることができる。携帯機器２６は、いろいろなボタン組み合わせおよび／またはボタン押下の回数を特定のウィンドウの開閉に関連付けることを可能にするように構成され得ることが理解されるべきである。さらなる構成では、このような作動が携帯機器２６が車両１２から所定の半径の範囲内にあるときにのみ行われるようにすることができる。
【００２５】
サーチフィールドまたは半径２８のサイズは、車両サイズ、ウィンドウの数、ウィンドウの種類、無線設定、製造元、モデル、地理的位置などの多数の要因に関連付けられ得る。一例では、車両１２は、車両を使用することが予想される乗員の種類に関する複数の設定条件を有する。ある場合では、子供用設定条件は、携帯機器２６のウィンドウ閉鎖機能を無効にしてもよい。別の場合では、通常設定条件は、携帯機器２６が車両１２の所定の半径（たとえば、６メートル）の範囲内にあるのみウィンドウ閉鎖を許可する。
【００２６】
一実施形態では、ロッキング機構部９２は、主スイッチ９８（またはスイッチ９８ａ）の選択された状態によって判定されるように、システム１０のスマート機能がオンであるときに起動される。主スイッチ９８がオン位置にある場合、システム１０は、ボタン８０、８２および／または作動コンポーネント８８を介して受信された入力に応答してキーフォッブ９６を探索するためサーチフィールド２８（たとえば、１２０ｋＨｚ）を送信する。一方、主スイッチ９８がオフ位置にある場合、サーチフィールド２８は無効にされ得る。ユーザは、車両１２のドアをロック／ロック解除するために、携帯機器２６上の（または、隠されたメカニカルキーによって）ボタン８０、８２を使用することができる。キーフォッブ９６は、車両１２の計器パネルまたはダッシュボードパネルに配設され得るキーフォッブ・スロット９４内へ挿入され得る。一実施形態では、キーフォッブ９６がキーフォッブ・スロット９４内に入ると、キーフォッブ９６は、車両電源（たとえば、アクセサリ電源、フルイグニッション電源など）がオンであるときはいつでも、所定の位置にロックされる。この態様では、キーフォッブ９６は、電源が完全にオフにされるまで、キーフォッブ・スロット９４からロック解除しない。さらに、ユーザは、キーフォッブ９６をキーフォッブ・スロット９４内に挿入することができ、キーフォッブ９６は、電源がオンであるとき、主スイッチ９８の状態とは無関係にロックされる。いくつかの場合に、ユーザは、キーフォッブ・スロット９４からキーフォッブ９６を取り外すことを試みる前に電源をオフにし忘れることもある。この状況では、キーフォッブ・スロット９４のロッキング機構部９２がキーフォッブ・スロット９４内に挿入されたキーフォッブ９６の取り外しを防止するため係止される。
【００２７】
別の例示的な実施形態では、システム１０のスマート機能は主スイッチ９８を介してオフにされてもよい。キーフォッブ９６は、（たとえば、車両１２のエンジン１００を始動するために）キーフォッブ・スロット９４内に挿入されてもよい。キーフォッブ９６がキーフォッブ・スロット９４内にあると、キーフォッブ９６は、車両電源（たとえば、アクセサリ電源、フルイグニッション電源など）がオンであるときはいつでも、所定の位置にロックされる。本態様では、電源が完全にオフにされるまで、キーフォッブ９６はキーフォッブ・スロット９４からロック解除されない。主スイッチ９８がオン位置にあるとき、すなわち、システム１０のスマート機能がオンであるとき、キーフォッブ９６はキーフォッブ・スロット９４内にロックされず、ユーザは運転中のいつでもキーフォッブ９６を取り外すことができる。
【００２８】
よって、システム１０のスマート機能がアクティブ状態であるとき、キーフォッブ９６はサーチフィールド２８によって見つけられ識別されているので、ユーザは車両１２を始動するためにキーフォッブ９６をキーフォッブ・スロット９４内に入れる必要はない。この態様では、キーフォッブ・スロット９４は本質的にキーフォッブ９６のホルダーになる。さらに、キーフォッブ・スロット９４をロックする必要がないので、米国運輸省によって定められた適用法規（たとえば、ＦＭＶＳＳ１１４に基づく）を満たすことができる。その結果、システム１０のスマート機能がオンモードにあるときにロッキング機構部９２が起動されないので、ユーザがキーフォッブ・スロット９４を損傷することを防止する。
【００２９】
さらに別の例示的な実施形態では、制御ユニット３６は、車載受信機２０が要求信号２２に応じた確認信号２５を受信し、主スイッチ９８がオン位置にあるとき、または、キーフォッブ９６がキーフォッブ・スロット９４内にあることが判定され、主スイッチ９８がオフ位置にあるときのうちの少なくとも一方の場合、エンジン１００を始動するように構成され得る。要求信号２２は、エンジン始動信号８８ａが制御ユニット３６によって受信され、主スイッチがオン位置にあるときに送信され得る。制御ユニット３６は、キーフォッブ９６がキーフォッブ・スロット９４内にあり、エンジン始動信号８８ａが受信されたときに、キーフォッブ９６をキーフォッブ・スロット９４内でロックするためにロッキング機構部９２を作動するようにさらに構成され得る。しかし、主スイッチ９８が本実施形態においてオン位置にあるとき、キーフォッブ９６はロッキング機構部９２によってキーフォッブ・スロット９４内でロックされない。
【００３０】
図３を参照すると、車両のための既知のスマート通信方法が示されている。図３のスマート通信方法は、図１に示されたスマート通信システム１０と共に使用することができ、必須ではないが、図１を参照して説明される。Ｓ２０２では、特定の車両機能（たとえば、車両ドアのロックまたはロック解除、車両ウィンドウの開閉、車両のエンジン１００の始動など）に対応する携帯機器２６からの信号２４または作動コンポーネント８８からの信号８８ａのような作動信号が制御ユニット３６によって受信される。作動信号は、ユーザによる携帯機器２６上のボタン８０または８２のうちの一方の押下、ユーザによる作動コンポーネント８８の作動（たとえば、エンジン始動ボタンの押下）などのような対応する作動動作が行われていることを示す。
【００３１】
スマート機能が有効にされると、Ｓ２０４において、要求信号２２が車両１２の車載送信機１８によって送信される。次に、Ｓ２０６において、携帯装置２６がサーチフィールド２８内にあるかに関する判定が行われる。たとえば、車載送信機１８は検証信号２２を携帯機器２６へ送信してもよい。携帯機器２６がサーチフィールド２８内にあり、検証信号２２を受信すると、携帯機器２６は、携帯装置２６がサーチフィールド２８内にあることを確認するために、Ｓ２１０において車載受信機２０によって受信される確認信号２５を送信してもよい。確認信号２５が車載受信機２０によって受信されない場合、Ｓ２０８において制限時間が終了したかに関する判定が行われる。制限時間は、たとえば、５秒間のような短い期間であってもよい。Ｓ２０８において制限時間が終了していない場合、要求信号２２はＳ２０４において送出し続けられる。一方、Ｓ２０８において制限時間が終了している場合、この方法は、Ｓ２０２へ戻り、作動信号２４または８８ａのような別の作動信号を待ち受ける。Ｓ２０６において携帯機器がサーチフィールド内にあると判定された場合、Ｓ２１０において確認信号２５が車載受信機２０によって受信される。Ｓ２１０における確認信号の受信後、Ｓ２１２において制御ユニット３６は車両機能を作動することができる。たとえば、制御ユニットはコマンド信号９０ａを実行コンポーネント９０へ送信することができる。
【００３２】
図４を参照すると、スイッチ９８または９８ａのような主スイッチを有する車両のための、車両の内部でスマート機能のオンとオフとを切り替える例示的なスマート通信方法が示されている。図４の方法は、図１に示されたスマート通信システム１０と共に使用することができ、必須ではないが、図１を参照して説明される。Ｓ２２０において、特定の車両機能（たとえば、１つ以上の車両ドアのロックまたはロック解除、車両ウィンドウの開閉、車両のエンジン１００の始動など）に対応する作動信号２４または８８ａのような作動信号が受信される。作動信号２４または８８ａは、対応する作動動作（たとえば、ボタン８０または８２が押下されている、エンジン始動アクチュエータの押下など）が行われていることを具体的に示す。Ｓ２２２において、主スイッチ９８または９８ａがオン位置にあるかに関して判定が行われる。主スイッチ９８または９８ａは車両１２のスマート機能のオンとオフとを切り替える。主スイッチ９８または９８ａがオンであるとき、スマート機能がオンにされ、車両１２は、スマート機能の範囲内で提供された特定の車両機能が開始されたときにサーチフィールド２８内で携帯機器２６を探索する。
【００３３】
主スイッチ９８または９８ａがオフであるとき、車両１２のスマート機能がオフにされ、サーチフィールド２８内での携帯機器２６の探索は行われない。したがって、Ｓ２２２において主スイッチ９８または９８ａがオン位置にないとき、Ｓ２２４において車両機能の手動式作動が要求される。たとえば、特定の車両機能が車両ドアのロック解除であり、この特定の車両機能に対応する作動動作が作動信号を開始するためにドアハンドルを引くことであるとき、サーチフィールド２８内での携帯機器２６の探索は行われずに、手動式作動が要求される。手動式作動は、車両ドアを機械式にロック解除するため車両２８のロック機器へのキー１０６の挿入を含み得る（図１）。あるいは、特定の車両機能が車両エンジンの始動であり、対応する作動動作がエンジン始動ボタンの押下であるとき、Ｓ２２４における車両機能の手動式作動は、キーフォッブ・スロット９４内へのキーフォッブ９６の挿入を含み、または、車両１２のイグニッションシリンダーへのキーの挿入を含み得る。
【００３４】
Ｓ２２２において主スイッチ９８または９８ａがオン位置にあるとき、Ｓ２２６において要求信号２２が車載送信機１８によって送信される。Ｓ２２８において、携帯機器２６がサーチフィールド２８内にあるかに関する判定が行われる。肯定である場合、Ｓ２３０において、携帯機器２６からの確認信号２５が車載受信機２０によって受信される。Ｓ２２８において否定であり、Ｓ２３２において判定されたときに制限時間が終了していない場合、Ｓ２２６において要求信号が連続的に送出される。Ｓ２３２において制限時間が終了していない場合、Ｓ２２４において車両機能の手動式作動が要求されるか、または、Ｓ２２０において新しい作動信号２２または８８ａが要求される。Ｓ２３０において確認信号２５が受信された場合、車両機能がＳ２３４において作動される。
【００３５】
図４の方法によれば、Ｓ２２２において主スイッチ９８または９８ａがオン位置ではないと判定されたとき、または、Ｓ２２８においてキーフォッブ９６がサーチフィールド２８内に存在しないことが確認されたときのうちの少なくとも一方の場合に、Ｓ２２４において車両機能の手動式作動が要求される。特定の車両機能が車両１２のドアのロックを解除しているとき、Ｓ２２４において要求される手動式作動は、ドアのロックを解除するためにボタンアクチュエータ（たとえば、ボタン８０または８２）を押下すること、または、メカニカルキー１０６をキースロット１０８ａ内に受承し、次に、メカニカルキー１０６の回転のロックを解除することのうちの少なくとも一方であり得る。特定の車両機能が車両１２のエンジン１００の始動であるとき、Ｓ２２４において要求される手動式作動は、作動信号の受信前にキーフォッブ９６をキーフォッブ・スロット９４内に受承することであり得る。より詳細に後述されるように、Ｓ２２２において主スイッチ９８または９８ａがオン位置ではないと判定されたとき、キーフォッブ９６はロッキング機構部９２によってキーフォッブ・スロット９４内でロックされ得る。
【００３６】
図５を参照すると、キーフォッブを受承するキーフォッブを有する車両のためのスマート通信方法が示されている。図５に示された方法は、図１のスマート通信システム１０において使用することができ、必須ではないが、図１を参照して説明される。この方法では、Ｓ２４０において、キーフォッブ９６はキーフォッブ・スロット９４内に受承される。Ｓ２４２において、車両電源がオンであるかに関する判定が行われる。Ｓ２４２において車両電源がオンであると判定されたとき、Ｓ２２４においてキーフォッブ９６がキーフォッブ・スロット９４内でロックされ、さもなければ、Ｓ２４６においてキーフォッブ９６はキーフォッブ・スロット９４内でロックされない。一例として、車両のイグニッション状態がアクセサリ状態または走行状態のうちの少なくとも一方であるとき、車両電源はオンであると判定される。Ｓ２４４においてキーフォッブ９６がキーフォッブ・スロット９４内でロックされた後、Ｓ２４８において車両電源がオフにされたかに関する判定が行われる。Ｓ２４８において車両電源がオフにされたと判定されたとき、Ｓ２５０においてキーフォッブ９６がキーフォッブ・スロット９４からロック解除され、さもなければ、Ｓ２５２においてキーフォッブ９６とキーフォッブ・スロット９４とのロックが維持される。
【００３７】
図５および６は、キーフォッブ・スロット・ロッキング機構部（たとえば、ロッキング機構部９２）に関連したスマート・エントリー・システムを利用する方法４００を示している。４０２で主スイッチはオン位置に切り替えられ、４０４でスマート・エントリー・システム（たとえば、スマート・エントリー・システム１０）が車両アクセスを可能にするため起動される。キーフォッブがキーフォッブ・スロット内にあることを検証するためのチェックが４０６で行われる。スマート・エントリー・システムが主スイッチを用いて起動されたとき、ロッキング機構部は、キーフォッブがキーフォッブ・スロット内にあるかとは無関係に、４０８および４１０でロック解除状態を維持する。このような構成にとっての１つの利点は、ロッキング機構部の損傷を回避することである。一例では、ロッキング機構部が係止されたとき、キーフォッブ・スロットからのキーフォッブの取り外しが試され、それによって、ロッキング機構部の機能を損傷するか、さもなければ、危うくするかもしれない。ロッキング機構部の係止を解除することにより、このような損傷が回避されることがある。
【００３８】
別のシナリオでは、システムが標準的なイグニッションシステムとして動作するとき、ユーザはキーフォッブ・スロットをロックすることを望む場合がある。この場合、４２０で、主スイッチはオフ位置に切り替えられ、４２２で、スマート・エントリー・システム（たとえば、スマート・エントリー・システム１０）が停止される。ロッキング機構部は４２４で有効にされるので、キーフォッブ・スロット内に置かれたとき、キーフォッブをロックする。このようにして、メカニカルキーまたは標準的なリモート・キーレス・エントリーである場合のように、車両エントリーが行われ得る。
【００３９】
図８を参照すると、スマート機能をオンとオフとに切り替える主スイッチを有する車両のためのスマート通信方法が示されている。図８に示された方法は、図１のスマート通信システム１０において使用することができ、必須ではないが、図１を参照して説明される。この方法では、Ｓ２６０において、キーフォッブ９６が車両１２のキーフォッブ・スロット９４内に受承される。Ｓ２６２において、主スイッチ９８または９８ａがオン位置にあるかに関する判定が行われる。Ｓ２６２において、主スイッチ９８または９８ａがオン位置にあると判定されたとき、Ｓ２６４において、キーフォッブ９６はキーフォッブ・スロット９４内でロックされ、そうでなければ、Ｓ２６６において、キーフォッブ９６はキーフォッブ・スロット９４内でロックされない。例示的な一実施形態では、車両電源がオンであるときにのみ、Ｓ２６４においてキーフォッブ・スロット９４内でのキーフォッブ９６のロックが行われる。Ｓ２６８において、キーフォッブ９６はキーフォッブ・スロット９４からロック解除されることがある。例示的な一実施形態では、Ｓ２６８におけるこのようなキーフォッブ・スロット９４からのキーフォッブ９６のロック解除は車両電源がオフであるときにのみ行われる。
【００４０】
図９を参照すると、キーフォッブを受承するキーフォッブ・スロットを有する車両のためのスマート通信方法が示されている。図８に示された方法は、図１のスマート通信システム１０において使用することができ、必須ではないが、図１を特に参照して説明される。この方法では、Ｓ２７６において、キーフォッブ９６がキーフォッブ・スロット９４内に受承される。Ｓ２７８において、キーフォッブ９６がキーフォッブ・スロット９４内でロックされる。キーフォッブ９６がキーフォッブ・スロット９４内でロックされている間に、Ｓ２８０においてキーフォッブ・スロット９４からのキーフォッブ９６の取り外しの試みが検出される。Ｓ２８０におけるキーフォッブ・スロット９４からのキーフォッブ９６の取り外しの試みの検出は、キーフォッブ９６がキーフォッブ・スロット９４内でロックされている間に、キーフォッブ９６に印加された取り外す力を検出することを含み得る。この取り外す力の検出は、取り外す力がキーフォッブ９６に印加されているときを判定するために歪みゲージを使用することを含み得る。あるいは、Ｓ２８０における取り外しの試みの検出は、スイッチによるキーフォッブ・スロット９４からのキーフォッブ９６の部分的な取り外しの検出を含むことがある。たとえば、キーフォッブ９４とキーフォッブ・スロット９６との間の相対的な移動は、取り外しの試みが行われていることを示すためにスイッチを作動し得る。
【００４１】
Ｓ２８０において取り外しの試みが検出されたとき、さらなる取り外しがキーフォッブ９６を損傷する可能性があることをドライバに通知するために、Ｓ２８２において警告が発せられ得る。Ｓ２８２において発せられた警告は、車両の中での聴覚警告または視覚警告のうちの少なくとも一方（たとえば、電光メッセージ、光インジケータ、ベルまたはブザーなど）であり得る。例示的な実施形態では、スマート機能のオンとオフとを切り替える主スイッチ９８または９８ａがオフ位置にあるときにのみ、キーフォッブ９６はＳ２７８においてキーフォッブ・スロット９４内でロックされる。Ｓ２７８におけるキーフォッブ・スロットのロックは、主スイッチ９８または９８ａがオフ位置にあり、かつ、車両電源がオンであるときにのみ、キーフォッブ９６をキーフォッブ・スロット９４内でロックすることにさらに制限され得る。
【００４２】
キーフォッブ・スロット９４内でロックされている間にキーフォッブ９６の取り外しの試みを検出するステップと、取り外しの試みが検出されたときに警告を発するステップとは、本明細書に記載されているその他の方法および実施形態の何れにも適用され得る。たとえば、図８を簡単に参照すると、キーフォッブ・スロット９４からのキーフォッブ９６の取り外しの試みは、Ｓ２６４においてキーフォッブ９６がキーフォッブ・スロット９４内でロックされている間に、キーフォッブ９６に印加されている取り外す力を検出すること、または、キーフォッブ９６とキーフォッブ・スロット９４との間の相対的な移動を検出することのうちの少なくとも一方によって検出され得る。このようにして検出されたとき、図９のＳ２８２に記載されているように警告がキーフォッブ９６への損傷を回避するために発せられ得る。
【００４３】
図１０を参照すると、車両のためのスマート通信方法が示されている。図１０に示された方法は、図１のスマート通信システム１０において使用することができ、必須ではないが、図１を特に参照して説明される。この方法では、Ｓ２９０において、車両１２のエンジン１００の始動に対応する作動信号８８ａが受信される。作動信号８８ａをトリガするため、作動コンポーネント８８が作動され得る。たとえば、作動コンポーネント８８は、エンジン１００を始動する押しボタンであり得る。押しボタンが押下されると、作動コンポーネント８８は作動信号８８ａを制御ユニット３６へ送信する。次に、制御ユニット３６は、Ｓ２９２において車両１２のスマート機能を切り替える主スイッチ９８または９８ａがオン位置にあるかを判定する。
【００４４】
Ｓ２９２において主スイッチ９８または９８ａがオン位置にあるとき、車両１２のキーフォッブ９６がサーチフィールド２８内にあることが確認される。特に、このような確認は、Ｓ２９４において、要求信号２２を携帯機器２６へ送信することを含み得る。次に、Ｓ２９６において携帯機器２６がサーチフィールド２６内にあるかに関する判定が行われる。携帯機器２６がサーチフィールド２８内にある場合、Ｓ２９８において確認信号２５が携帯機器２６から受信される。Ｓ２９６において携帯機器２６がサーチフィールド２８内にないと確認された場合、Ｓ３００において制限時間が終了したかに関する判定が行われる。Ｓ３００において制限時間が終了していない場合、要求信号２２がＳ２９４において継続的に送信される。一方、Ｓ３００において制限時間が満了している場合、この方法はＳ２９０へ戻る。
【００４５】
Ｓ２９２において判定されたときに主スイッチ９８または９８ａがオン位置にないとき、Ｓ３０２においてキーフォッブ９６が車両１２のキーフォッブ・スロット９４内にあるかに関する判定が行われる。エンジンは、一般に、主スイッチ９８または９８ａがオン位置にあると判定されたときにキーフォッブ９６がサーチフィールド２８内にあると確認されたとき、または、主スイッチ９８または９８ａがオン位置にないと判定されたときにキーフォッブ９６がキーフォッブ・スロット９４内にあると判定されたときのうちの一方の場合に始動される。特に、キーフォッブ９６がサーチフィールド２８内にあると確認され、主スイッチ９８または９８ａがオン位置にあると判定されたときに、エンジンがＳ３０６で始動される。Ｓ３０４において、キーフォッブ９６がキーフォッブ・スロット９４内にあると判定され（Ｓ３０２）、主スイッチ９８または９８ａがオン位置にないと判定されたときに、エンジンが始動される。場合によっては、Ｓ３０４において主スイッチ９８または９８ａがエンジンの始動前にオン位置にないと判定されたとき、キーフォッブ９６はＳ３０８においてキーフォッブ・スロット９４内でロックされ得る。特に、Ｓ３１０において示されているように、主スイッチ９８または９８ａがＳ２９２においてオン位置にあると判定されたとき、キーフォッブ９６はキーフォッブ・スロット９４内でロックされない。
【００４６】
本明細書に示された特定の例示的な実施形態に関し、ある構造的および／または機能的な特徴が、定義された要素および／または構成要素内に組み込まれているものとして記載されていることが理解されるべきである。しかし、これらの特徴は、同一の利益または類似した利益を有して、共通した要素および／または構成要素、または、別個の要素および／または構成要素に適宜同様に組み込まれてもよいことが考慮される。たとえば、制御ユニット３６はシステム１０にわたって分散していてもよい。例示的な実施形態の異なる態様が、所望の用途に適した他の代替的な実施形態を実現するために、適宜選択的に用いられてもよく、これにより、これらの他の代替的な実施形態が、本明細書に組み込まれている態様のそれぞれの利点を実現することもまた理解されるべきである。
【００４７】
本明細書に記載された特定の要素または構成要素は、ハードウェア、ソフトウェア、ファームウェア、または、これらの組み合わせで適切に実施された機能を有することもまた理解されるべきである。さらに、一体として組み込まれているように本明細書に記載された要素は、適当な状況下では、独立した要素でもよく、または、他の方法で分割されていてもよいことが理解されるべきである。同様に、１つの特定の要素によって実施されるように記載されている複数の特定の機能は、個々の機能を実施するために独立に動作する複数の別個の要素によって実施されてもよく、または、個別の機能が分割され、協動する複数の別個の要素によって実施されてもよい。あるいは、互いに区別できるように本明細書においてそれ以外の形で記載および／または明らかにされたいくつかの要素または構成要素は、適宜物理的または機能的に組み合わされてもよい。
【００４８】
上記の種々の特徴および機能とその他の特徴および機能、それらの代替、または、それらの変形は、望ましくは、多数のその他の異なるシステムまたは用途と組み合わせてもよいことが理解されるであろう。さらに、上記の特徴および機能における種々の現在予見していない、または、予期してない代替、変更、変形、または、改良が当業者によって後に行われることがあるが、これらは特許請求の範囲に包含されることが同様に意図されている。
【符号の説明】
【００４９】
９４  キーフォッブ・スロット
９６  キーフォッブ
９８  主スイッチ
【図１】
2010216234.tif 000003
【図２】
2010216234.tif 000004
【図３】
2010216234.tif 000005
【図４】
2010216234.tif 000006
【図５】
2010216234.tif 000007
【図６】
2010216234.tif 000008
【図７】
2010216234.tif 000009
【図８】
2010216234.tif 000010
【図９】
2010216234.tif 000011
【図１０】
2010216234.tif 000012